(57)【要約】      （修正有）【課題】障子を電動にて閉鎖して施錠することのできる引き違いサッシを、従来のの構成を大幅に変えることなく低コストで製作できるようにする。【解決手段】枠１と、内障子２及び外障子３と、障子駆動装置４と、受信機５と、障子閉鎖確認センサー６ａ，６ｂと、制御装置７と、錠８ａ，８ｂとを備え、障子駆動装置４は、横枠１２の左右端部に夫々設けてあるプーリー９ａ，９ｂと、プーリー間に掛け渡した無端ベルト１０と、一方のプーリーを回転駆動するモーター１１とを有し、障子閉鎖確認センサーは、枠または障子に取付けてあり、錠は、室内外方向に移動するデッドボルト１４を有し、内障子と外障子の閉鎖時にデッドボルトを障子の室内側に係合して両障子を移動不能とするものであり、制御装置は、受信機が受けた閉鎖信号によりモーターを回転し、障子閉鎖確認センサーの閉鎖確認信号によりモーターの回転停止と錠のデッドボルトの突出を制御している。【選択図】図１
2006125149.tif 000002
【特許請求の範囲】
【請求項１】
枠と、内障子及び外障子と、障子駆動装置と、受信機と、障子閉鎖確認センサーと、制御装置と、錠とを備え、障子駆動装置は、横枠の左右端部に夫々設けてあるプーリーと、プーリー間に掛け渡した無端ベルトと、一方のプーリーを回転駆動するモーターとを有し、プーリーは、水平回転自在に設けてあり、無端ベルトには、ベルトの環の中心に対して点対称位置に内障子押圧部と外障子押圧部が設けてあり、内障子押圧部は内障子の移動軌跡上に位置し、外障子押圧部は外障子の移動軌跡上に位置しており、障子閉鎖確認センサーは、枠または障子に取付けてあり、錠は、室内外方向に移動するデッドボルトを有し、内障子と外障子の閉鎖時にデッドボルトを障子の室内側に係合して両障子を移動不能とするものであり、制御装置は、受信機が受けた閉鎖信号によりモーターを回転し、障子閉鎖確認センサーの閉鎖確認信号によりモーターの回転停止と錠のデッドボルトの突出を制御していることを特徴とする引き違いサッシ。
【発明の詳細な説明】
【技術分野】
【０００１】
本発明は、電動にて障子を閉鎖し、且つ施錠することのできる引き違いサッシに関する。
【背景技術】
【０００２】
住宅の窓には、引き違いサッシが多く用いられている。引き違いサッシでは、障子の閉め忘れやクレセントの掛け忘れにより、空き巣等の被害に遭うことがある。従来の自動引戸は、エンジンやリニアモーター等を組み込んだ、大掛かりでコストも高いものとなっており、一般の住宅等の引き違いサッシにこれらの機構を用いるのは困難である。
特許文献１には、引き違いサッシの取付枠に後付けして、障子を電動にて開閉し、且つ閉鎖した障子をロックできるようにしたサッシ自動開閉用ユニットが記載されている。これは、サッシ枠の上枠の室内側に取付けた横長のユニットフレーム内に、左右二つのプーリーに無端ベルトを掛け渡したサッシ駆動手段と、一方のプーリーを回転してサッシ駆動手段に動力を伝達する動力伝達機構を備え、一方の障子はサッシ駆動手段の無端ベルトに連結してあり、他方の障子はロッド部材を介して無端ベルトに連結してあり、プーリーが回転して無端ベルトが移動することで二つの障子が逆向きに移動し、障子を開閉できる。また動力伝達機構にはロック機構が組み込まれており、ロック機構は障子が全閉位置にあるときに駆動プーリーの回転をロックし、障子が開けられるのを阻止する。
【特許文献１】特開２００２−３４９１３６号公報
【発明の開示】
【発明が解決しようとする課題】
【０００３】
上記の構成によれば、サッシ駆動手段等を内蔵したユニットフレームが、障子の上框の室内側に突出して取付けられるため、意匠的に好ましくない上に、カーテンやブラインドを取付けるのにも不都合である。動力伝達機構は、クラッチやカップリング、ギア等を用いた複雑な構造のものとなっており、さらにロック機構が組み込まれているため、より一層複雑となっており、コストが高くなっている。また、障子がロックされているかどうか外部からは分からないので、使用者が不安を感じるという問題もある。本発明は以上に述べた実情に鑑みてなされたものであって、障子を動かす機構をコンパクトで単純なものとし、従来の引き違いサッシの構成を大幅に変えることなく低コストで製作でき、且つ優れた防犯性を備えた引き違いサッシの提供を目的とする。
【課題を解決するための手段】
【０００４】
上記の課題を達成するために本発明の引き違いサッシは、枠と、内障子及び外障子と、障子駆動装置と、受信機と、障子閉鎖確認センサーと、制御装置と、錠とを備え、障子駆動装置は、横枠の左右端部に夫々設けてあるプーリーと、プーリー間に掛け渡した無端ベルトと、一方のプーリーを回転駆動するモーターとを有し、プーリーは、水平回転自在に設けてあり、無端ベルトには、ベルトの環の中心に対して点対称位置に内障子押圧部と外障子押圧部が設けてあり、内障子押圧部は内障子の移動軌跡上に位置し、外障子押圧部は外障子の移動軌跡上に位置しており、障子閉鎖確認センサーは、枠または障子に取付けてあり、錠は、室内外方向に移動するデッドボルトを有し、内障子と外障子の閉鎖時にデッドボルトを障子の室内側に係合して両障子を移動不能とするものであり、制御装置は、受信機が受けた閉鎖信号によりモーターを回転し、障子閉鎖確認センサーの閉鎖確認信号によりモーターの回転停止と錠のデッドボルトの突出を制御していることを特徴とする。
【発明の効果】
【０００５】
本発明の引き違いサッシは、障子駆動装置をコンパクトで単純なものとし、横枠内の空きスペースに設置できるようにしたので、通常のサッシの構成を大幅に変えることなく低コストで製作できる。また本発明の引き違いサッシは、リモコン等で離れた場所から受信機に閉鎖信号を送るだけで、モーターが回転して無端ベルトが回転し、内外の障子がベルトに取付けた各障子押圧部に押されて閉鎖位置に移動し、障子閉鎖確認センサーが障子の閉鎖を確認することで、モーターが停止すると共にデッドボルトが突出して両障子を移動不能とするので、障子の閉鎖と施錠を自動的に行うことができ、錠を掛け忘れることがないので防犯性が高い。障子の施錠は、デッドボルトを障子の室内側に係合して行うので、障子が開けられるのを確実に阻止でき、施錠の方法が直接的で使用者に分かり易いので、使用者に強い安心感を与えることができる。
【発明を実施するための最良の形態】
【０００６】
以下、本発明の実施の形態を図面に基づいて説明する。図１は、本発明の引き違いサッシの一実施形態を示す室内側正面図である。この引き違いサッシは、通常の引き違いサッシと同じように、上枠１２と下枠１５と左右の縦枠１６，１７を枠組みしてなる枠１が建物の開口部に取付けてあり、上枠１２と下枠１５のレール間に内障子２と外障子３が左右方向に摺動自在に取付けてある。上枠１２の内部には、内外の障子２，３をモーター１１の力で自動的に閉鎖する障子駆動装置４を設けてある。右縦枠１６の上部には、内障子２の閉鎖を検出する内障子閉鎖確認センサー６ａが取付けてあり、左縦枠１７の上部には、外障子３の閉鎖を検出する外障子閉鎖確認センサー６ｂが取付けてある。また、内障子２の戸当り框１８ａの室内側面に対向する位置に内障子用錠８ａを設けてあり、外障子３の戸当り框１８ｂの室内側面に対向する位置に外障子用錠８ｂを設けてある。さらに左縦枠１７には、リモコン（図示省略）からの信号を受信する受信機５を取付けてある。上枠１２の上部には、モーター１１と錠８ａ，８ｂの動きを制御する制御装置７を設けてある。なお、図中の１９はクレセントであり、２０はクレセントの施解錠と障子の開閉状態を検出するクレセントセンサーであり、２１は携帯電話から障子の閉鎖と施錠を行う場合に用いるコントローラーである。
【０００７】
障子駆動装置４の構造について、図２と図３に即して説明する。図２に示すように、上枠１２の左側端部の外障子用レール２２ａと内障子用レール２２ｂの間の位置には、駆動プーリー９ａが垂直軸２３で軸支して水平回転自在に設けてある。駆動プーリー９ａは、その下部にギア２４を一体に設けてあり、そのギア２４が左縦枠１７上部に取付けた減速機付きモーター１１の軸端に取付けたギア２５と噛み合い、モーター１１により回転駆動される。上枠１２の右側端部の外障子用レール２２ａと内障子用レール２２ｂの間の位置には、従動プーリー９ｂが垂直軸２６で軸支して水平回転自在に設けてある。駆動プーリー９ａと従動プーリー９ｂには無端ベルト１０を掛け渡してある。両プーリー９ａ，９ｂはタイミングプーリーを使用しており、無端ベルト１０にはタイミングベルトを使用している。図２中の２７は、無端ベルト１０のテンション調整用の押しボルトである。駆動プーリー９ａと従動プーリー９ｂと無端ベルト１０は、図３に示すように、上枠１２の下面と障子２，３の上端の間のレール２２ａ，２２ｂ間のスペースに配置される。
無端ベルト１０には、図２と図６に示すように、ベルトの環の中心に対して点対称位置に、内障子押圧部１３ａと外障子押圧部１３ｂを取付けてある。内障子押圧部１３ａは内障子２の移動軌跡上に位置しており、外障子押圧部１３ｂは外障子３の移動軌跡上に位置している。内障子押圧部１３ａと外障子押圧部１３ｂは、図５に示すように、二枚の金属板２８ａ，２８ｂで無端ベルト１０を前後から挟み、ビス２９とナット３０で締め付けて取付けてあり、ベルト内周側の金属板２８ｂに設けた垂下壁３１が、各障子の召し合せ框３２の外周側面にそれぞれ当接するようになっている。
【０００８】
内障子用錠８ａは、図４に示すように、右縦枠１６の室内側の壁面に固定して設けてあり、室内外方向に移動するソレノイド３３の軸に丸棒状のデッドボルト１４を取付けたものであり、内障子２を閉鎖した状態でデッドボルト１４を突出させると、内障子２の戸当り框１８ａの室内側面に取付けた錠受け３４ａの穴にデッドボルト１４の先端が係合し、内障子２が閉鎖位置で移動不能にロックされる。図中の３５は、デッドボルト１４の曲がりを防止するガイド部材であり、３６はカバーである。カバー３６を一部透明に形成するなどして、デッドボルト１４の突出状態が室内から視認できるようにすると、使用者が施錠状態を確認できるのでより好ましい。外障子用錠８ｂも、内障子用錠８ａと同じ構造となっており、ソレノイド３３によりデッドボルト１４が室内外方向に移動し、閉鎖した外障子３の錠受け３４ｂにデッドボルト１４の先端を係合して、外障子３を閉鎖位置で移動不能にロックする。
【０００９】
制御装置７は、内蔵するメモリーに記憶させたプログラムと、受信機５が受信した閉鎖信号と障子閉鎖確認センサー６ａ，６ｂの閉鎖確認信号とに基づいて、障子駆動装置４のモーター１１の回転と内障子用錠８ａ及び外障子用錠８ｂのデッドボルト１４の進退動作を制御するものである。以下、図６に基づいて、障子の閉鎖と施錠を行う際の本引き違いサッシの動作を説明する。通常時には、図６（ａ）に示すように、内障子押圧部１３ａは駆動プーリー９ａの近く、外障子押圧部１３ｂは従動プーリー９ｂの近くにそれぞれ位置しており、内障子用錠８ａと外障子用錠８ｂのデッドボルト１４は室内側に移動しており、内障子２と外障子３は手動で自由に開閉できる。使用者がリモコンの障子閉鎖ボタンを押すと、受信機５がリモコンからの信号を受信して制御装置７に閉鎖信号を出力し、制御装置７はこれを受けてモーター１１の回転をスタートさせ、図６（ｂ）に示すように、無端ベルト１０が反時計回りに回転し、内障子２は内障子押圧部１３ａに押されて右側に移動し、外障子３は外障子押圧部１３ｂに押されて左側に移動する。このときの障子２，３の移動するスピードは、せいぜい毎秒数センチといったゆっくりしたスピードに設定してある。障子２，３が移動する途中に障害物があったりして、モーター１１に過負荷がかかったときには、制御装置７はモーター１１を停止させる。図６（ｃ）に示すように、左右の縦枠に設けた障子閉鎖確認センサー６ａ，６ｂが内障子２と外障子３をそれぞれ検出すると、各センサーから制御装置７に閉鎖確認信号が出力され、制御装置７はこれを受けてモーター１１の回転を停止するとともに、図６（ｄ）に示すように、内障子用錠８ａと外障子用錠８ｂのデッドボルト１４を室外向きに突出させ、デッドボルト１４の先端が障子の錠受け３４ａ，３４ｂに係合し、各障子２，３が施錠される。その後、制御装置７はモーター１１を逆向きに回転させ、図６（ｅ）に示すように、内障子押圧部１３ａと外障子押圧部１３ｂを元の位置まで移動させる。このときのモーター１１の停止は、障子押圧部１３ａ，１３ｂをセンサーで検出して行ってもよいし、一定の時間が経つとタイマーで停止するようにしてもよい。障子２，３を開けたいときには、使用者がリモコンの解錠ボタンを押せば、受信機５から制御装置７に解錠信号が出力され、制御装置７は内障子用錠８ａと外障子用錠８ｂのデッドボルト１４を室内側に移動させる。
【００１０】
さらに本引き違いサッシは、クレセントセンサー２０と、携帯電話との間でデータのやり取りが行えるコントローラー２１を使用して、遠く離れた場所から使用者が携帯電話を通じて障子２，３の閉鎖と施錠状態の確認が行えると共に、障子が開いている場合には、携帯電話から指令を送信して障子２，３を閉鎖し、且つ施錠することができる。クレセントセンサー２０は、クレセント１９の施解錠と障子２，３の開閉状態を検出してコントローラー２１に信号を送り、コントローラー２１にその状態を認識させる。使用者が携帯電話からコントローラー２１に照会信号を送信すると、コントローラー２１はクレセント１９の施解錠と障子２，３の開閉状態に関するデータを使用者の携帯電話に送信し、携帯電話がこれを受信して表示画面にクレセント１９の施解錠と障子２，３の開閉状態を表示する。障子２，３が開いていること、又は施錠がされていないことを使用者が認識した場合、使用者は携帯電話からコントローラー２１に閉鎖信号を送信する。コントローラー２１が閉鎖信号を受信すると、制御装置７に閉鎖信号を出力し、後はリモコンから閉鎖信号を送信したときと同じように、制御装置７がモーター１１の回転と各錠８ａ，８ｂのデッドボルト１４の突出を制御し、障子２，３が閉鎖されて内障子用錠８ａと外障子用錠８ｂで施錠される。
【００１１】
以上に述べた実施形態では、障子２，３の閉鎖だけを障子駆動装置４によって行い、障子２，３の開放は手動で行うようにしていたが、図７（ａ）に示すように、内障子押圧部１３ａの垂下壁３１を内障子２の召し合せ框３２にボルト３７で固定し、外障子押圧部１３ｂの垂下壁３１を外障子３の召し合せ框３２にボルト３７で固定すれば、内障子２と外障子３の閉鎖だけでなく、両障子の開放も障子駆動装置４によって行うことができる。また図７（ｂ）に示すように、内障子押圧部１３ａと外障子押圧部１３ｂの何れか一方のみを障子２，３に固定すれば、一方の障子２は自動開閉し、他方の障子３は自動で閉鎖し且つ手動で開閉することもできる。
【００１２】
本発明は以上に述べた実施形態に限定されない。錠は、閉鎖した内障子と外障子に室内側からデッドボルトを係合し、両障子を移動不能にできるものであればよく、図８（ａ）に示すように、内障子用錠８ａと外障子用錠８ｂを、閉鎖した内障子２と外障子３の上框３８ａ，３８ｂの室内側面に対向する位置に設け、デッドボルト１４を各障子の上框に設けた錠受け３４ａ，３４ｂに係合するようにしてもよいし、図８（ｂ）に示すように、錠８を内障子２の召し合せ框３２に固定して設け、外障子３の召し合せ框の室内側面に形成した錠受け３４にデッドボルト１４を係合するものであってもよい。障子駆動装置は、障子を上枠に吊下げ支持した場合には、下枠内部に設けることができる。枠は、室外側をアルミ形材、室内側を樹脂材により形成した断熱枠とすることもできる。
【図面の簡単な説明】
【００１３】
【図１】本発明の引き違いサッシの一実施形態を示す室内側正面図である。
【図２】上枠内部を下方より見た図である。
【図３】上枠部の縦断面図である。
【図４】引き違いサッシの横断面図である。
【図５】（ａ）は内障子押圧部の平面図であり、（ｂ）は同正面図である。
【図６（ａ）（ｂ）（ｃ）（ｄ）（ｅ）】内外の障子を閉鎖して施錠する際の動作を順に示す引き違いサッシ概略平面図である。
【図７（ａ）（ｂ）】本発明の引き違いサッシの別の実施形態を示す概略平面図である。
【図８（ａ）（ｂ）】錠の取付位置の他の例を示す概略正面図である。
【符号の説明】
【００１４】
１  枠
２  内障子
３  外障子
４  障子駆動装置
５  受信機
６ａ，６ｂ  障子閉鎖確認センサー
７  制御装置
８，８ａ，８ｂ  錠
９ａ  駆動プーリー、９ｂ  従動プーリー
１０  無端ベルト
１１  モーター
１２  上枠（横枠）
１３ａ  内障子押圧部、１３ｂ  外障子押圧部
１４  デッドボルト
【図１】
2006125149.tif 000003
【図２】
2006125149.tif 000004
【図３】
2006125149.tif 000005
【図４】
2006125149.tif 000006
【図５】
2006125149.tif 000007
【図６（ａ）（ｂ）（ｃ）（ｄ）（ｅ）】
2006125149.tif 000008
【図７（ａ）（ｂ）】
2006125149.tif 000009
【図８（ａ）（ｂ）】
2006125149.tif 000010